(57)【要約】【課題】組付作業を簡単に実施可能で、且つ組付後の構造全体の安定性が優れること。【解決手段】複数の支持管と、複数のライニング体と、一つ以上の枠体構造と、一つ以上のプレートとを含み、前記支持管の外周面には等距離を隔てて環状溝が設けてあり、前記ライニング体は外周面がテパー形状を呈し、内周面には円弧状凸部が設けてあり、円弧状凸部が環状溝に位置決められるように支持管の外周面と嵌合し、枠体構造は複数の組付具と複数の連接管とから構成され、前記組付具は、内部に貫通孔が一つ開設してあり、外周面に各連接管が連接し、前記プレートは、その外周縁の対向側に円弧部がそれぞれ一つ設けてあり、各円弧部がそれぞれ各連接管の外周面を覆うように枠体構造の内部に組み付けられる。【選択図】図１
0003136191.tif 000002
【実用新案登録請求の範囲】
【請求項１】
複数の支持管と、複数のライニング体と、一つ以上の枠体構造と、一つ以上のプレートと、を含む物置棚において、
前記支持管は、外周面には等距離を置いて設けられた環状溝が設けてあり、
前記ライニング体は、外周面がテパー形状を呈し、内周面の位置決め位置では円弧状凸部が設けてあり、前記円弧状凸部が前記環状溝に位置決められるように、前記支持管の外周面と嵌合し、
前記枠体構造は、複数の組付具と、複数の連接管と、から構成され、前記組付具は、内部に貫通孔が一つ開設してあり、前記枠体構造を矩形枠体にするように、外周面に各連接管が連接してあり、且つ前記組付具の貫通孔が前記支持管の外周面に設けれるライニング体に嵌合され、
前記プレートは、外周縁の対向側には円弧部がそれぞれ一つ設けてあり、前記各円弧部がそれぞれ前記各連接管の外周面を覆うように、前記枠体構造の内部に組み付けられることを特徴とする、
物置棚。
【請求項２】
前記ライニング体は、互いに対向し円弧形状を呈する、第一片体と、第二片体と、から構成され、外周面が上から下へ徐々に拡径するテパー状を呈し、前記第一片体は、内部の位置決め位置では円弧状凸部が設けてあり、両側の側縁には突出部がそれぞれ設けてあり、前記第二片体は、前記第一片体の円弧状凸部に対向する円弧状凸部が設けてあり、両側の側縁には前記突出部に応じて欠け口が設けてあり、前記第一片体と第二片体との円弧状凸部が前記支持管の環状溝と嵌合し、且つ前記第一片体の突出部が前記第二片体の欠け口と嵌合するように、前記第一片体と第二片体とが前記支持管の外周面に嵌合されることを特徴とする、請求項１に記載の物置棚。
【請求項３】
前記組付具の貫通孔は、上から下へ徐々に拡径するテパー状を呈することを特徴とする、請求項１に記載の物置棚。
【請求項４】
前記プレートの各円弧状凹部は内側へ凹んだ状態を呈することを特徴とする、請求項１に記載の物置棚。
【請求項５】
前記プレートは、金属製、木製、樹脂製の何れかであることを特徴とする、請求項１に記載の物置棚。
【考案の詳細な説明】
【技術分野】
【０００１】
本考案は物置棚に係り、特に、組付作業を簡単に実施可能であり、且つ組付後の構造全体の安定性が優れる物置棚に関するものである。
【背景技術】
【０００２】
目下、市販されている物置棚は色々ある。それらの連接方法は、主に、物置棚のプレートの底面に溝を開設して、別のプレートの側面に一つの穴を開設して、前記二つのプレートを重ねてねじにて締付けて結合することである。
【０００３】
従来の物置棚の連接方法は、構造が簡単であり、組付作業が便利であるが、ねじにてプレート同士を締付けた後に、プレートの底面に開設された溝はガイドして位置決めるためのものであるので、ねじを前記溝にねじ込んでいるときに、力がかなり掛られ、且つねじを締め付けているときに、加える力を不均一であるとねじがずれて、物置棚全体の構造の安定性が低下になる欠点があった。
【考案の開示】
【考案が解決しようとする課題】
【０００４】
本考案の主な目的は、組付作業および分解作業を簡単に実施可能である物置棚を提供することにある。
【０００５】
本考案の次の目的は、各部材の結合の緊密度が更に高くなり、外力を受けても、脱落や分離が発生しなく、組付後の構造全体の安定性が優れる物置棚を提供することにある。
【０００６】
本考案の別の目的は、分解された状態での組付部材は、貯蔵空間が狭く済むので、在庫コストおよび運輸コストを低減可能である物置棚を提供することにある。
【課題を解決するための手段】
【０００７】
上記目的を達成するためになされた本願の考案は、複数の支持管と、複数のライニング体と、一つ以上の枠体構造と、一つ以上のプレートと、を含む物置棚において、前記支持管は、外周面には等距離を置いて設けられた環状溝が設けてあり、前記ライニング体は、外周面がテパー形状を呈し、内周面の位置決め位置では円弧状凸部が設けてあり、前記円弧状凸部が前記環状溝に位置決められるように、前記支持管の外周面と嵌合し、前記枠体構造は、複数の組付具と、複数の連接管と、から構成され、前記組付具は、内部に貫通孔が一つ開設してあり、前記枠体構造を矩形枠体にするように、外周面に各連接管が連接してあり、且つ前記組付具の貫通孔が前記支持管の外周面に設けれるライニング体に嵌合され、前記プレートは、外周縁の対向側には円弧部がそれぞれ一つ設けてあり、前記各円弧部がそれぞれ前記各連接管の外周面を覆うように、前記枠体構造の内部に組み付けられることを特徴とする物置棚であることを要旨としている。
【０００８】
本願の考案では、前記ライニング体は、互いに対向し円弧形状を呈する、第一片体と、第二片体と、から構成され、外周面が上から下へ徐々に拡径するテパー状を呈し、前記第一片体は、内部の位置決め位置では円弧状凸部が設けてあり、両側の側縁には突出部がそれぞれ設けてあり、前記第二片体は、前記第一片体の円弧状凸部に対向する円弧状凸部が設けてあり、両側の側縁には前記突出部に応じて欠け口が設けてあり、前記第一片体と第二片体との円弧状凸部が前記支持管の環状溝と嵌合し、且つ前記第一片体の突出部が前記第二片体の欠け口と嵌合するように、前記第一片体と第二片体とが前記支持管の外周面に嵌合されることを特徴とする請求項１に記載の物置棚であることを要旨としている。
【０００９】
本願の考案では、前記組付具の貫通孔は、上から下へ徐々に拡径するテパー状を呈することを特徴とする請求項１に記載の物置棚であることを要旨としている。
【００１０】
本願の考案では、前記プレートの各円弧状凹部は内側へ凹んだ状態を呈することを特徴とする請求項１に記載の物置棚であることを要旨としている。
【００１１】
本願の考案では、前記プレートは、金属製でもいいし、木製でもいいし、樹脂製でもいいことを特徴とする請求項１に記載の物置棚であることを要旨としている。
【考案の効果】
【００１２】
本考案の物置棚によれば、次のような効果がある。
（イ）組付作業および分解作業を簡単に実施可能である。
【００１３】
（ロ）各部材の結合の緊密度が更に高くなり、外力を受けても、脱落や分離が発生しなく、組付後の構造全体の安定性が優れる。
【００１４】
（ハ）分解された状態での組付部材は、貯蔵空間が狭く済むので、在庫コストおよび運輸コストを低減可能である。
【考案を実施するための最良の形態】
【００１５】
以下、添付図面を参照して本考案の好適な実施の形態を詳細に説明する。
【００１６】
まず、図１乃至図４を参照する。本考案の実施例の物置棚は、四つの支持管１０と、複数のライニング体２０と、一つ以上の枠体構造３０と、一つ以上のプレート４０と、を含む。
【００１７】
前記支持管１０は、図１に示すように、外周面には等距離を置いて設けられた環状溝１１が設けてある。
【００１８】
前記ライニング体２０は、互いに対向し円弧形状を呈する、第一片体２１と、第二片体２２と、から構成され、外周面が上から下へ徐々に拡径するテパー状を呈し、前記第一片体２１は、内部の位置決め位置では円弧状凸部２１１が設けてあり、両側の側縁には突出部２１２がそれぞれ設けてあり、前記第二片体２２は、前記第一片体２１の円弧状凸部２１１に対向する円弧状凸部（図示せず）が設けてあり、両側の側縁には前記突出部２１２に応じて欠け口２２２が設けてあり、前記第一片体２１と第二片体２２との円弧状凸部２１１が前記支持管１０の環状溝１１と嵌合し、且つ前記第一片体２１の突出部２１２が前記第二片体２２の欠け口２２２と嵌合するように、前記第一片体２１と第二片体２２とが前記支持管１０の外周面に嵌合される。
【００１９】
前記枠体構造３０は、図２に示すように、複数の組付具３１と、複数の連接管３２と、から構成される。
【００２０】
前記組付具３１は、内部に貫通孔３１１が一つ開設してあり、前記貫通孔は、上から下へ徐々に拡径するテパー状を呈し、図２と図３に示すように、前記枠体構造３０を矩形枠体にするように、外周面に各連接管３２が連接してあり、且つ前記組付具３１の貫通孔３１１が前記支持管１０の外周面に設けれるライニング体２０に嵌合される。
【００２１】
前記プレート４０は、金属製でもいいし、木製でもいいし、樹脂製でもよく、その四つの周縁には円弧状凹部４１がそれぞれ設けてあり、本実施例では、図１に示すように、各円弧状凹部４１は内側へ凹んだ状態を呈し、前記プレート４０の前記各円弧状凹部４１がそれぞれ前記各連接管３２の外周面を覆うように、前記枠体構造３０の内部に組み付けられる。
【００２２】
次に、図１乃至図４を参照しながら本考案の組付方法を詳細に説明する。まず、第一片体２１と第二片体２２との円弧状凸部２１１が前記支持管１０の環状溝１１と嵌合し、且つ前記第一片体２１の突出部２１２が第二片体２２の欠け口２２２と嵌合するように、複数のライニング体２０の第一片体２１と第二片体２２とを支持管１０の外周面に嵌合する。
【００２３】
その後、枠体構造３０の組付作業を施し、すなわち、ユーザは、図２と図３に示すように、組付具３１の外周面に連接管３２を直接に連接すると、枠体構造３０が矩形の枠体に形成され、枠体構造３０の組付作業が完成し、だから、枠体構造３０の組付作業は簡単に実施可能である。
【００２４】
その後、枠体構造３０の組付具３１の内径が上から下へ徐々に拡径する貫通孔３１１に、外周面が上から下へ徐々に拡径するテパー状を呈するライニング体２０を嵌め込むと、枠体構造３０全体が強固になる。
【００２５】
最後に、図４に示すように、プレート４０の各円弧部４１がそれぞれ前記各連接管３２の外周面を覆うように、枠体構造３０の内部にプレート４０を直接に組み付けると、本考案の物置棚の組付作業が完成し、だから、組付作業および分解作業を簡単に実施可能であり、各部材の結合の緊密度が更に高くなり、外力を受けても、脱落や分離が発生しなく、組付後の構造全体の安定性が優れる。
【００２６】
上記の組付方式によれば、物置棚を２層以上にすることが可能であり、且つプレート４０は、図１と図４に示すように、サイド板として枠体構造３０の側辺に直接に組付けることができる。
【００２７】
そして、本考案の物置棚によれば、分解された状態での組付部材は、貯蔵空間が狭く済むので、在庫コストおよび運輸コストを低減可能である。
【図面の簡単な説明】
【００２８】
【図１】本考案の実施例の分解斜視図である。
【図２】本考案の枠体の組合状態の斜視概略図である。
【図３】本考案の枠体の組合状態の一部の断面図である。
【図４】本考案の実施例の組合状態の斜視概略図である。
【符号の説明】
【００２９】
１０      支持管
１１      環状溝
２０      ライニング体
２１      第一片体
２２      第二片体
３０      枠体構造
３１      組付具
３２      連接管
４０      プレート
４１      円弧状凹部
２１１    円弧状凸部
２１２    突出部
２２２    欠け口
３１１    貫通孔
【図１】
0003136191.tif 000003
【図２】
0003136191.tif 000004
【図３】
0003136191.tif 000005
【図４】
0003136191.tif 000006